【手続補正書】
【提出日】平成27年12月17日(2015.12.17)
【手続補正１】
【補正対象書類名】明細書
【補正対象項目名】００１０
【補正方法】変更
【補正の内容】
【００１０】
本発明は、かかる需要者の要望を解決するために案出されたものであって、必要なときにサブプラットホームを伸ばすことが可能で、必要のない時は従来の長さで使用を可能とする車両用昇降装置におけるプラットホームの延長装置を提案するものである。
【手続補正２】
【補正対象書類名】明細書
【補正対象項目名】００１１
【補正方法】変更
【補正の内容】
【００１１】
電動または油圧駆動により自動で昇降作動を行うように設けられるプラットホームにおいて、プラットホームをメインプラットホームとサブプラットホームから構成して通常の使用長を構成すると共に、サブプラットホームをサブプラットホーム定置部とプラットホーム延長移動部から構成してサブプラットホーム延長移動部をサブプラットホーム定置部からプラットホームの迫り出し方向にスライドして、サブプラットホームを所要長伸長し、かつ前記サブプラットホーム延長移動部と前記サブプラットホーム定置部とには定位置と延長移動位置にロックするロック機構を配備してなる車両用昇降装置におけるプラットホームの延長装置にある。
【手続補正３】
【補正対象書類名】明細書
【補正対象項目名】００１２
【補正方法】変更
【補正の内容】
【００１２】
定置部フレームの左側部と右側部の夫々の内面に前後に離隔し、夫々の基端を固着して設置した固定軸にローラを軸支して配置するサブプラットホーム定置部と、延長移動部フレームの左側部と右側部の夫々の外面に外側向きに開口するコ字形レールを備えて前記定置部フレームのローラを嵌合し、前後のスライド方向に移動可能に結合され、必要に応じてサブプラットホームの使用長を延長移動するサブプラットホーム延長移動部が構成され、前記延長移動部フレームの左側部と右側部の夫々外面に前ロックプレートと後ロックプレートが前後のスライド位置に設置され、この前ロックプレートと後ロックプレートが掛合するロック機構を前記定置部フレームの左側部と右側部の夫々の外面に互いに連繋して設置されてなる車両用昇降装置におけるプラットホームの延長装置としてもよいものである。
【手続補正４】
【補正対象書類名】明細書
【補正対象項目名】００１３
【補正方法】変更
【補正の内容】
【００１３】
前記サブプラットホーム定置部に定置部床板が、前記サブプラットホーム延長移動部に延長移動部床板が、夫々の後端部が夫々昇降取付軸に取付けられて全体が昇降自在に装備され、通常の使用長のサブプラットホームには、前記サブプラットホーム延長移動部の延長移動部床板が前記サブプラットホーム定置部の定置部床板の上方に重合して配備されてなるものとしてもよいものである。
【手続補正５】
【補正対象書類名】明細書
【補正対象項目名】００１４
【補正方法】変更
【補正の内容】
【００１４】
定置部フレームの左側部と右側部の夫々後部の外面にロックレバーを所要角回転自在に支軸により軸支して設置し、ロックレバーのプレート部には、支軸を中心とする連繋孔が開孔され、両端が左側部と右側部に支承されたシャフトと基端を一体に設けた転回リンクの先端に設けたピンを前記連繋孔に遊合連結すると共に前記シャフトには左側部又は右側部とにコイルスプリングにより一方方向に転回するようにテンションが掛けられて設けられ、前記ロックレバーのプレート部には支軸を中心に前後等距離に設けた前ロックピンと後ロックピンがサブプラットホーム延長移動部の前後のスライド端位置で、前記前ロックプレート又は後ロックプレートに掛合するように、前記延長移動部フレームの左側部と右側面部の夫々外面に前傾斜プレートを前記前ロックプレートに、後傾斜プレートを後ロックプレートに夫々接続してロック機構が設置されてなるものとしてもよいものである。
【手続補正６】
【補正対象書類名】明細書
【補正対象項目名】００１５
【補正方法】変更
【補正の内容】
【００１５】
本発明の車両用昇降装置におけるプラットホームの延長装置は、前述のように構成されるから、ロック機構のロックレバーを押し下げることにより、サブプラットホーム延長移動部をサブプラットホーム定置部に対して手動で後方へ引き出すことによってサブプラットホームの全長を延長できるものである。
【手続補正７】
【補正対象書類名】明細書
【補正対象項目名】００１７
【補正方法】変更
【補正の内容】
【００１７】
定置部フレームの左側部と右側部の夫々の内面に前後に離隔し、夫々の基端を固着して設置した固定軸にローラを軸支して配置するサブプラットホーム定置部と、延長移動部フレームの左側部と右側部の夫々の外面に外側向きに開口するコ字形レールを備えて前記定置部フレームのローラを嵌合し、前後のスライド方向に移動可能に結合され、必要に応じてサブプラットホームの使用長を延長移動するサブプラットホーム延長移動部が構成され、前記サブプラットホーム定置部に定置部床板が、前記サブプラットホーム延長移動部に延長移動部床板が、夫々の後端部が夫々昇降取付軸に取付けられて全体が昇降自在に装備され、通常の使用長のサブプラットホームには、前記サブプラットホーム延長移動部の延長移動部床板が前記サブプラットホーム定置部の定置部床板の上方に重合して配備され、定置部フレームの左側部と右側部の夫々後部の外面にロックレバーを所要角回転自在に支軸により軸支して設置し、ロックレバーのプレート部には、支軸を中心とする連繋孔が開孔され、両端が左側部と右側部に支承されたシャフトと基端を一体に設けた転回リンクの先端に設けたピンを前記連繋孔に遊合連結すると共に前記シャフトには左側部又は右側部とにコイルスプリングにより一方方向に転回するようにテンションが掛けられて設けられ、前記ロックレバーのプレート部には支軸を中心に前後等距離に設けた前ロックピンと後ロックピンがサブプラットホーム延長移動部の前後のスライド端位置で、前記前ロックプレート又は後ロックプレートに掛合するように、前記延長移動部フレームの左側部と右側面部の夫々外面に、前傾斜プレートを前記前ロックプレートに、後傾斜プレートを後ロックプレートに、夫々接続してロック機構が設置され、前記延長移動部フレームの左側部と右側部の夫々外面に前ロックプレートと後ロックプレートが前後のスライド位置に設置され、この前ロックプレートと後ロックプレートと掛合する前記ロック機構が前記サブプラットホーム定置部のフレームの左側部と右側部の夫々の外面に互いに連繋して設置されてなる車両用昇降装置におけるプラットホームの延長装置。
【手続補正８】
【補正対象書類名】明細書
【補正対象項目名】００５５
【補正方法】変更
【補正の内容】
【００５５】
本発明は実施例に示すように福祉用床下格納リフトを例に上げるが福祉用に限らず荷物用にも適用し、また床下リフト以外のリフト、すなわち、四辺形リンクによって昇降するリフトにも適用できるものである。
【手続補正９】
【補正対象書類名】明細書
【補正対象項目名】００５６
【補正方法】変更
【補正の内容】
【００５６】
本発明の車両用昇降装置におけるプラットホームの延長装置は、コンパクトな機構で、必要なときにサブプラットホームを延長することができ、従来できなかった各種の長物まで搬送の対象を拡大するものである。
【手続補正１０】
【補正対象書類名】特許請求の範囲
【補正対象項目名】全文
【補正方法】変更
【補正の内容】
【特許請求の範囲】
【請求項１】
電動または油圧駆動により自動で昇降作動を行うように設けられるプラットホームにおいて、プラットホームをメインプラットホームとサブプラットホームから構成して通常の使用長を構成すると共に、サブプラットホームをサブプラットホーム定置部とサブプラットホーム延長移動部から構成してサブプラットホーム延長移動部をサブプラットホーム定置部からプラットホームの迫り出し方向にスライドして、サブプラットホームを所要長伸長し、かつ前記サブプラットホーム延長移動部と前記サブプラットホーム定置部とには定位置と延長移動位置にロックするロック機構を配備してなる車両用昇降装置におけるプラットホームの延長装置。
【請求項２】
定置部フレームの左側部と右側部の夫々の内面に前後に離隔し、夫々の基端を固着して設置した固定軸にローラを軸支して配置するサブプラットホーム定置部と、延長移動部フレームの左側部と右側部の夫々の外面に外側向きに開口するコ字形レールを備えて前記定置部フレームのローラを嵌合し、前後のスライド方向に移動可能に結合され、必要に応じてサブプラットホームの使用長を延長移動するサブプラットホーム延長移動部が構成され、前記延長移動部フレームの左側部と右側部の夫々外面に前ロックプレートと後ロックプレートが前後のスライド位置に設置され、この前ロックプレートと後ロックプレートが掛合するロック機構を前記定置部フレームの左側部と右側部の夫々の外面に互いに連繋して設置されてなる請求項１の車両用昇降装置におけるプラットホームの延長装置。
【請求項３】
前記サブプラットホーム定置部に定置部床板が、前記サブプラットホーム延長移動部に延長移動部床板が、夫々の後端部が夫々昇降取付軸に取付けられて全体が昇降自在に装備され、通常の使用長のサブプラットホームには、前記サブプラットホーム延長移動部の延長移動部床板が前記サブプラットホーム定置部の定置部床板の上方に重合して配備されてなる請求項２の車両用昇降装置におけるプラットホームの延長装置。
【請求項４】
定置部フレームの左側部と右側部の夫々後部の外面にロックレバーを所要角回転自在に支軸により軸支して設置し、ロックレバーのプレート部には、支軸を中心とする連繋孔が開孔され、両端が左側部と右側部に支承されたシャフトと基端を一体に設けた転回リンクの先端に設けたピンを前記連繋孔に遊合連結すると共に前記シャフトには左側部又は右側部とにコイルスプリングにより一方方向に転回するようにテンションが掛けられて設けられ、前記ロックレバーのプレート部には支軸を中心に前後等距離に設けた前ロックピンと後ロックピンがサブプラットホーム延長移動部の前後のスライド端位置で、前記前ロックプレート又は後ロックプレートに掛合するように、前記延長移動部フレームの左側部と右側面部の夫々外面に前傾斜プレートを前記前ロックプレートに、後傾斜プレートを後ロックプレートに夫々接続してロック機構が設置されてなる請求項２又は請求項３の車両用昇降装置におけるプラットホームの延長装置。